(57)【特許請求の範囲】
【請求項１】
前面のほぼ中央部に商品を視認するための窓が開いた外箱と、前記外箱前面と商品の間に挿入され前記窓部分をカバーする透明または半透明の樹脂シートとで構成され、
前記樹脂シートは、その頭部に箱外にスライドさせ押し出される延設部分とその頂部に吊り下げ用孔が設けられると共に、前記延設部分の上辺両端の少なくとも一端に突出部を形成し、
前記外箱は、その前面の上辺に前記延設部分を箱外にスライドさせ押し出す切開部を有しており、
また、前記樹脂シートは、前記延設部分が箱外に押し出された状態にあっても、前記窓からの商品の飛び出しを防ぐ構成とし、
前記延設部分は、必要時に押し出されるも、不要時には前記突出部の作用により簡単には出入りしない構造としたことを特徴とした商品陳列用ケース。
【請求項２】
前記樹脂シートは、吊り下げ陳列時に前記延設部分を箱外に押し出して陳列することを特徴とした請求項１に記載の商品陳列用ケース。
【発明の詳細な説明】
【０００１】
【発明の属する技術分野】
本発明は、商品を店頭にて陳列販売する場合に使用され、特に吊り下げ陳列に適し、未陳列時には嵩ばらない商品陳列用ケースに関する。
【０００２】
【従来の技術】
従来の電子部品、時計、化粧品、文具等の小型商品の陳列用ケースは、吊り下げ用孔を備えた延設部分を背面上部に設け、前面に透明フィルム付きの窓を設けた紙箱の中に、商品を収納できる凹部を備えた発泡ウレタンやプラスチック成形品からなる台座を挿入したものが広く使用されている。このケースは店頭において、紙箱の吊り下げ用孔をフックに通して、吊り下げた状態で陳列するようになっている。
【０００３】
【発明が解決しようとする課題】
従来の商品陳列用ケースでは、図９に示すように紙箱２０の背面から上部に延びた延設部分２１が設けられ、その頂部に吊り下げ用の孔２２を設け、さらに紙箱の窓２３には表面あるいは裏面から透明フィルム２４等を貼り合わせるため、紙箱の製作加工が複雑となり製作コストがかかっていた。
【０００４】
また、前記の延設部分２１は箱本体２０より常時はみ出しているため、その部分の容量が大きくなり運搬や保管時に嵩ばるといった問題があった。
【０００５】
本発明は、商品陳列用ケースの紙箱の構造を簡素化し、従来の箱本体の吊り下げ用孔と透明フィルム貼り付けを省略し、箱の組み立て工程を簡易にし製作コストを低減した、透明または半透明の樹脂シートを活用することにより、店頭陳列時には中の商品がよく見え、さらに陳列時以外にはその容量が嵩ばらず販売者、消費者ともに運搬や保管のしやすい、吊り下げ陳列にもショーケースに並べても陳列できる商品陳列用ケースを提供することにある。
【０００６】
【課題を解決するための手段】
本発明の商品陳列用ケースは、前面のほぼ中央部に商品を視認するための窓が開いた外箱と、前記外箱前面と商品の間に挿入され前記窓部分をカバーする透明または半透明の樹脂シートとで構成され、前記樹脂シートは、その頭部に箱外にスライドさせ押し出される延設部分とその頂部に吊り下げ用孔が設けられると共に、前記延設部分の上辺両端の少なくとも一端に突出部を形成し、前記外箱は、その前面の上辺に前記延設部分を箱外にスライドさせ押し出す切開部を有しており、また、前記樹脂シートは、前記延設部分が箱外に押し出された状態にあっても、前記窓からの商品の飛び出しを防ぐ構成とし、前記延設部分は、必要時に押し出されるも、不要時には前記突出部の作用により簡単には出入りしない構造としたことを特徴としたものである。
【０００７】
そして、前記樹脂シートは、吊り下げ陳列時には前記延設部分を箱外に押し出し、吊り下げ孔をフックにかけて陳列するものである。
【０００８】
【発明の実施の形態】
以下に本発明の実施形態を図面を参照して説明する。
【０００９】
図１〜３は本発明の一実施例の商品陳列用ケースの概略斜視図及び断面図であり、商品３０がよく見えるように前面に窓６を開いた外箱１と、商品３０を収納、固定するため中央部分に凹部７を形成した台座２と、外箱前面と台座の間に挿入され窓６をカバーし商品３０がよく見える透明または半透明の樹脂シート３とで構成されている。
【００１０】
外箱１の作製は公知の方法が採用され、前面には商品の大きさに合う窓６が開かれている。箱の外形は商品内容により四角、多角、円柱等のいずれの形状も選択ができ、主として紙製であって、従来のように窓部分の箱の裏面側に透明フィルム等を貼る必要がない。
【００１１】
外箱１の上蓋８の前面辺には、前記樹脂シート３に設けられた延設部分４を箱外にスライドして押し出すための切開部９が延設部分４の幅に合わせて形成されている。そのために、箱の上蓋８は前記の切開部９が形成される辺を折曲げ辺とする、後開きの構造とする必要がある。
【００１２】
図４に示す台座２は、商品３０の大きさ、形状に合った凹部７を台座の中央部分に設けた発泡ウレタン等の発泡体や非発泡のプラスチック成形品からなり、箱内で商品を固定し保護する。
【００１３】
窓６をカバーする樹脂シート３は、図５に示すような延設部分４を含む外形が外箱前面の大きさに合うものであって、商品がよく見える透明または半透明の樹脂シートからなり、頭部に延設部分４を有し、その頂部にはケースを吊り下げ陳列する際にフックにかけるための孔５が設けられている。
【００１４】
この延設部分４は、吊り下げ陳列時には、前記の箱上蓋８の切開部９からスライドされて押し出され、両端部分１０が外箱上蓋に接触した状態で係止し、商品が窓６から飛び出すことを防ぐと共に樹脂シート３の位置決めをし、吊り下げ用孔５にフックを通して吊り下げ陳列され、箱本体１の落下を防止する機能を持っている。
【００１５】
また、吊り下げ陳列時以外は、延設部分４は樹脂シート３全体と共に、図７に示すように箱内に収納されるので嵩ばらないという利点がある。
【００１６】
この商品陳列用ケースは、外箱１を組み立てた後、商品を納めた台座２と樹脂シート３を挿入し、上蓋８を締めて完成し、吊り下げ陳列等の必要時のみ延設部分４を箱外に押し出して使用される。
【００１７】
前記樹脂シート３は透明または半透明のポリエチレン、ポリプロピレン、ポリエチレンテレフタレート、塩化ビニル、ポリカーボネート、ポリスチレン等の合成樹脂製シートであり、打ち抜き加工により容易に作製することができる。
【００１８】
また、樹脂シート３は商品の外傷からの保護、箱内への塵埃の侵入防止の役割もする。
【００１９】
前記樹脂シート３の実施例は、図６に示すように、延出部分４の少なくとも一方の端部に、上記の外箱１の切開部９の両端に軽く接触する程度の突出部１１を形成することができ、不要時には樹脂シート３の延出部分４が簡単に箱から出入りしない構造とすることができ、商品の保護機能を向上する。
【００２０】
また、上記の突出部１１を形成する場合は、図８に示すように外箱１の切開部９の両端に切開部と角度を持った切り込み１２を、切開部の前方または／および後方に設けることにより、樹脂シート３をスライドさせる時に切開部９が広がりやすくなり、延出部分４を押し出しやすくすることができる。
【００２１】
なお、上記の実施例においては、商品３０を収納す台座２を備えている場合を示したが、外箱内に略対応した形状をなすもの等、商品の形態によっては、前記の台座を省略することができる。この場合も、樹脂シート３を外箱前面と商品との間に引き出し可能に挿入して、上記同様に実施することができる。また、他の手段で樹脂シートを外箱前面に沿って引き出し可能に支持して実施することもできる。
【００２２】
本発明の商品陳列用ケースは、外箱１と樹脂シート３の２点あるいは外箱１と台座２と樹脂シート３の３点で構成されるので、その製作が容易であって、組み立ても簡便であり、陳列時の商品が見やすいだけでなく、吊り下げ陳列時以外はその容量を抑えることができ、収納性に優れたものである。
【００２３】
【発明の効果】
以上説明したように、本発明の商品陳列用ケースは、前面に窓が開いた外箱と、前記窓部分をカバーする透明または半透明の樹脂シートとで構成されるので、ケースの作製が容易であって、必要時のみ樹脂シートの延設部分を押し出して商品の飛び出しを防いで吊り下げ陳列でき、また、不要時は延設部分が簡単に出入りすることなく嵩ばらず、商品の運搬や保管が容易であるという効果がある。
【図面の簡単な説明】
【図１】  本発明実施例の商品陳列用ケースの斜視図である。
【図２】  図１におけるＡ−Ａ線断面図である。
【図３】  図１におけるＢ−Ｂ線断面図である。
【図４】  本発明に使用できる商品収納用の台座の例である。
【図５】  本発明実施例の窓カバーの樹脂シートである。
【図６】  本発明の実施例の突出部を示す窓カバー樹脂シートである。
【図７】  本発明実施例の未陳列時の樹脂シート収納図である。
【図８】  外箱切開部の別の実施例拡大図である。
【図９】  従来例の商品陳列用ケースの斜視図である。
【符号の説明】
１……外箱
２……台座
３……樹脂シート
４……樹脂シートの延設部分
５……吊り下げ陳列用孔
６……外箱の窓部
７……台座の商品収納用凹部
８……外箱上蓋
９……外箱上蓋の切開部
１１……樹脂シート延設部分端部の突出部
１２……切開部両端の切り込み
３０……商品
【図１】
0003951040.tif 000002
【図２】
0003951040.tif 000003
【図３】
0003951040.tif 000004
【図４】
0003951040.tif 000005
【図５】
0003951040.tif 000006
【図６】
0003951040.tif 000007
【図７】
0003951040.tif 000008
【図８】
0003951040.tif 000009
【図９】
0003951040.tif 000010